【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
人物の手のRGB画像を捕捉するステップと、
前記手の近赤外(NIR)画像を捕捉するステップと、
前記RGB画像の抽出される部分内のピクセル値と前記NIR画像の対応する部分内のピクセル値とから導出された反射値に基づいて、捕捉された皮膚組織の画像データに対応すると決定された前記RGB画像の部分を抽出するステップと、
前記RGB画像の前記抽出された部分内の前記ピクセル値と前記NIR画像の前記対応する部分内の前記ピクセル値とから導出された前記反射値に基づいて、捕捉された皮膚組織の前記画像データに対応すると決定された前記RGB画像の前記抽出された部分から、前記手の幾何学的特徴を決定するステップと
を含む方法。
【請求項２】
前記捕捉されたRGB画像を前記捕捉されたNIR画像と整合させるステップ
をさらに含む、請求項1に記載の方法。
【請求項３】
前記RGB画像の前記部分を抽出するステップが、
前記捕捉されたRGB画像の少なくとも1つのピクセルに関するそれぞれのRGBピクセル値と、前記捕捉されたNIR画像の対応するピクセルに関するそれぞれのNIRピクセル値とに基づいて、前記少なくとも1つのピクセルの各々に関する第1の値および第2の値を計算するステップと、
前記捕捉されたRGB画像の前記少なくとも1つのピクセルからの特定のピクセルに関する前記第1の値が第1の所定の値範囲内にあり、前記第2の値が第2の所定値範囲内にあるとき、前記特定のピクセルが前記手に対応すると決定するステップと
を含む、請求項1に記載の方法。
【請求項４】
前記第1の値r1および前記第2の値r2が、
【数１】
2016528627.tif 000001
に従って計算された前記特定のピクセルに関する皮膚色インジケータであり、式中、ρが反射率を示し、λが波長を示す、請求項3に記載の方法。
【請求項５】
前記幾何学的特徴を決定するステップが、
前記RGB画像の前記抽出された部分から、前記手に関する相対的な空間特徴を表す1つまたは複数の値を決定するステップ
を含む、請求項1に記載の方法。
【請求項６】
前記相対的な空間特徴が、前記手に関する前記抽出された画像データ内の2本の指の第1の対の間の角度、あるいは前記手に関する前記抽出された画像データ内の指の第2の対に関する相対的な距離または長さのうちの1つもしくは複数を含む、請求項5に記載の方法。
【請求項７】
前記手の前記決定された幾何学的特徴に基づいて、前記人物の識別を決定するステップ
をさらに含む、請求項1に記載の方法。
【請求項８】
前記手の前記決定された幾何学的特徴に基づいて、前記人物の前記識別を決定するステップが、
前記手の前記決定された幾何学的特徴を表す値を記憶された記録内の値と比較するステップであって、各記録が、前に獲得された手画像のそれぞれの手画像に関する画像データから決定された幾何学的特徴を表す、それぞれの対応する記録値を含む、比較するステップ
を含む、請求項7に記載の方法。
【請求項９】
前記手の前記決定された幾何学的特徴を表す前記値を前記記憶された記録内の前記値と比較するステップが、
前記手の前記決定された幾何学的特徴を表す前記値のうちの少なくともいくつかと、前記前に獲得された手画像のうちの1つに関する画像データから決定された幾何学的特徴を表す記録値のうちの対応する少なくともいくつかとの間の差分に関する標準偏差を計算するステップと、
前記手の前記決定された幾何学的特徴を表す前記値のうちの前記少なくともいくつかと、前記前に獲得された手画像のうちの前記1つに関する前記画像データから決定された前記幾何学的特徴を表す前記記録値のうちの前記対応する少なくともいくつかとの間の前記差分に関する平均値を計算するステップと、
所定の標準偏差しきい値に対する前記計算された標準偏差の第1の比較に基づいて、かつ、所定の平均しきい値に対する前記計算された平均値の第2の比較に基づいて、前記手の前記決定された幾何学的特徴を表す前記値のうちの前記少なくともいくつかと、前記前に獲得された手画像のうちの前記1つに関する前記画像データから決定された前記幾何学的特徴を表す前記記録値のうちの前記対応する少なくともいくつかとの間に一致が存在するかどうかを決定するステップと
を含む、請求項8に記載の方法。
【請求項１０】
前記手の前記決定された幾何学的特徴を表す前記値のうちの前記少なくともいくつかと、前記前に獲得された手画像のうちの前記1つに関する前記画像データから決定された前記幾何学的特徴を表す前記記録値のうちの前記対応する少なくともいくつかとの間に一致が存在するかどうかを決定するステップが、
前記手の前記決定された幾何学的特徴を表す前記値のうちの前記少なくともいくつかと、前記前に獲得された手画像のうちの前記1つに関する前記画像データから決定された前記幾何学的特徴を表す前記記録値のうちの前記対応する少なくともいくつかとの間の前記差分に関する前記計算された標準偏差が前記標準偏差しきい値未満であり、前記手の前記決定された幾何学的特徴を表す前記値のうちの前記少なくともいくつかと、前記前に獲得された手画像のうちの前記1つに関する前記画像データから決定された前記幾何学的特徴を表す前記記録値のうちの前記対応する少なくともいくつかとの間の前記差分に関する前記計算された平均値が前記平均しきい値未満であるとき、または、
前記手の前記決定された幾何学的特徴を表す前記値のうちの前記少なくともいくつかと、前記前に獲得された手画像のうちの前記1つに関する前記画像データから決定された前記幾何学的特徴を表す前記記録値のうちの前記対応する少なくともいくつかとの間の前記差分に関する前記計算された標準偏差が前記標準偏差しきい値以上であり、前記手の前記決定された幾何学的特徴を表す前記値のうちの前記少なくともいくつかと、前記前に獲得された手画像のうちの前記1つに関する前記画像データから決定された前記幾何学的特徴を表す前記記録値のうちの前記対応する少なくともいくつかとの間の前記差分に関する前記計算された平均値が前記平均しきい値よりも小さい第2の平均しきい値未満であるとき、前記手の前記決定された幾何学的特徴を表す前記値のうちの前記少なくともいくつかが、前記前に獲得された手画像のうちの前記1つに関する前記画像データから決定された前記幾何学的特徴を表す前記記録値のうちの前記対応する少なくともいくつかと一致すると決定するステップを含む、請求項9に記載の方法。
【請求項１１】
前記手の前記決定された幾何学的特徴を表す前記値のうちの前記少なくともいくつかと、前記前に獲得された手画像のうちの前記1つに関する前記画像データから決定された前記幾何学的特徴を表す前記記録値のうちの前記対応する少なくともいくつかとの間に前記一致が存在すると決定することに応答して、前記人物がコンピューティングデバイスにアクセスするのを可能にするステップ
をさらに含む、請求項9に記載の方法。
【請求項１２】
人物の手のRGB画像を捕捉するための手段と、
前記手の近赤外(NIR)画像を捕捉するための手段と、
前記RGB画像の抽出される部分内のピクセル値と前記NIR画像の対応する部分内のピクセル値とから導出された反射値に基づいて、捕捉された皮膚組織の画像データに対応すると決定された前記RGB画像の部分を抽出するための手段と、
前記RGB画像の前記抽出された部分内の前記ピクセル値と前記NIR画像の前記対応する部分内の前記ピクセル値とから導出された前記反射値に基づいて、捕捉された皮膚組織の画像データに対応すると決定された前記RGB画像の前記抽出された部分から、前記手の幾何学的特徴を決定するための手段と
を含む装置。
【請求項１３】
前記RGB画像の前記部分を抽出するための前記手段が、
前記捕捉されたRGB画像の少なくとも1つのピクセルに関するそれぞれのRGBピクセル値と、前記捕捉されたNIR画像の対応するピクセルに関するそれぞれのNIRピクセル値とに基づいて、前記少なくとも1つのピクセルの各々に関する第1の値および第2の値を計算するための手段と、
前記捕捉されたRGB画像の前記少なくとも1つのピクセルからの特定のピクセルに関する前記第1の値が第1の所定の値範囲内にあり、前記第2の値が第2の所定値範囲内にあるとき、前記特定のピクセルが前記手に対応すると決定するための手段と
を含む、請求項12に記載の装置。
【請求項１４】
前記第1の値r1および前記第2の値r2が、
【数２】
2016528627.tif 000002
に従って計算された前記特定のピクセルに関する皮膚色インジケータであり、式中、ρが反射率を示し、λが波長を示す、請求項13に記載の装置。
【請求項１５】
プロセッサ上で実行可能なコンピュータ命令を用いてプログラムされた非一時的プロセッサ可読媒体であって、前記コンピュータ命令が、実行されるとき、請求項１から１１のいずれか一項に記載の方法を前記プロセッサに実行させる、非一時的プロセッサ可読媒体。